【事件の表示】
　特願２００３−　５３２６６「画像処理装置及び画像処理方法」拒絶査定不服審判事件〔平成１６年　９月２４日出願公開、特開２００４−２６６４７０〕について、次のとおり審決する。
【結　論】
　本件審判の請求は、成り立たない。
【理　由】
１　手続きの経緯・本願発明
　本願は、平成１５年２月２８日の出願であって、平成１８年１月１９日付けで拒絶査定がされ、これに対して同年２月２３日に拒絶査定不服審判が請求されたものである。
　本願の発明は、平成１８年３月２７日付けで補正された特許請求の範囲の請求項１ないし９に記載されたものと認められるところ、その請求項１に記載された発明（以下、「本願発明」という。）は、次のとおりのものである。
「【請求項１】　ウェブブラウザを有する情報処理装置と通信可能な画像処理装置であって、
　イメージデータを複数のグループのうちのユーザによって指定されたグループに属するように格納する格納手段と、
　前記ウェブブラウザに表示されるべき、前記画像処理装置へ送信されるべきデータのファイルパス名またはＵＲＬをユーザに入力させるための及び前記複数のグループのうちの１つをユーザに指定させるためのウェブページのデータを前記情報処理装置に送信する送信手段と、
　前記ウェブページでユーザにより入力されたファイルパス名またはＵＲＬに対応するデータを前記情報処理装置または外部のウェブサーバから受信する受信手段と、
　前記受信手段により受信されたデータからイメージデータを生成する画像生成手段とを有し、
　前記格納手段は、前記画像生成手段により生成されたイメージデータを、前記ウェブページでユーザにより指定されたグループに属するように格納することを特徴とする画像処理装置。」
　
２　引用例
　原査定の拒絶の理由で引用された特開２００２−２１８２５８号公報（以下、「引用例１」という。）には次の事項が図面と共に開示されている。（記載箇所は段落番号等で表示）
　ア　「【００１４】
【発明の実施の形態】図１は、本発明の一実施形態を示す画像処理装置を適用可能な画像入出力システムの全体構成を示すブロック図である。
【００１５】図において、２００はリーダ部（リーダ装置又は画像入力装置）で、原稿画像を光学的に読み取り、画像データに変換する。このリーダ部２００は、原稿を読み取るための機能を持つスキャナユニット２１０と、原稿用紙を搬送するための機能を持つ原稿給紙ユニット２５０とで構成される。
【００１６】３００はプリンタ部（プリンタ装置又は画像出力装置）で、記録紙を搬送し、その上に画像データを可視画像として印字して装置外に排紙する。このプリンタ部３００は、複数種類の記録紙カセットを持つ給紙ユニット３６０と、画像データを記録紙に転写、定着させる機能を持つマーキングユニット３１０と、印字された記録紙をノート、ステイプルして機外へ出力する機能を持つ排紙ユニット３７０とで構成される。
【００１７】１１０は制御装置で、リーダ部２００、プリンタ部３００、ＣＤ−ＲＯＭ２６０と電気的に接続され、さらにネットワーク４００を介して、ホストコンピュータ１７０，１８０と接続されている。
【００１８】制御装置１１０は、リーダ部２００を制御して、原稿の画像データを読込み、プリンタ部３００を制御して画像データを記録用紙に出力してコピー機能を提供する。また、リーダ部２００から読み取った画像データを、コードデータに変換し、ネットワーク４００を介してホストコンピュータ１７０，１８０ヘ送信するスキャナ機能、ホストコンピュータ１７０，１８０からネットワーク４００を介して受信したコードデータを画像データに変換し、プリンタ部３００に出力するプリンタ機能を提供する。」
　イ　「【００８８】以下、図８を参照して、本実施形態におけるボックス登録の手順について説明する。
【００８９】図８は、本発明の画像処理装置の第１の制御処理手順の一例を示すフローチャートであり、本実施形態におけるボックス登録の手順に対応する。なお、このフローチャートの処理は、図３に示したＣＰＵ１１２がＲＯＭ１１４又は図示しないその他の記憶媒体に格納されたプログラムに基づいて実行するものである。
【００９０】ボックスヘの登録は、ホストコンピュータ１７０，１８０からのＰＤＬ画像と、リーダ部２００からのスキャン画像の登録があり、それぞれ図８の（ａ），（ｂ）のフローとなる。なお、図中のＳ８０１〜Ｓ８０９は各ステップを示す。
【００９１】まず、ＰＤＬ画像を登録する場合、ステップＳ８０１では、ＰＣ１７０，１８０上でユーザがプリント設定を行い、ステップＳ８０２に進む。プリント設定内容は、部数、用紙サイズ、拡大縮小率、片面／両面、ページ出力順序、ソート出力、ステイプル止めの有無等である。
【００９２】ステップＳ８０２では、ＰＣ１７０，１８０上でボックス番号を設定することで、ハードディスク１６２のボックス領域７０２内の領域が指定され、ステップＳ８０３に進む。例えば、ボックス番号が１と指定されると、ボックス領域７０２内のパーソナルボックス領域（ボックス領域１）７０３が指定されることなる。
【００９３】ステップＳ８０３では、ＰＣ１７０，１８０上で印刷指示を与え、それと共にＰＣ１７０，１８０上にインストールされているドライバソフトウェアが印刷対象となるコードデータをいわゆるＰＤＬデータに変換して、ステップＳ８０１で設定したプリント設定パラメータとともに、本画像入出力装置の制御装置１１０にＰＤＬデータを転送し、ステップＳ８０４に進む。
【００９４】ステップＳ８０４では、転送されたＰＤＬデータを画像データに展開（ラスタライズ）する。画像データの展開が完了するとステップＳ８０５に進む。
【００９５】ステップＳ８０５では、展開された画像データがハードディスク１６２のボックス領域７０２に順次記録され、例えばボックス番号が１のときは、ボックス領域７０３内に記憶される。ステップＳ８０１で設定したプリント設定パラメータもボックス領域７０３に記録される。なお、ステップＳ８０２で指定されたボックス番号が２，３のときはそれぞれボックス領域７０４，ボックス領域７０５に記憶される。」
　
　前記ア及びイの記載によると、引用例１には、
　「ネットワーク４００を介して、ホストコンピュータ１７０，１８０と接続され、ホストコンピュータ１７０，１８０からネットワーク４００を介してコードデータを受信する画像入出力システムであって、
　ステップＳ８０２では、ＰＣ１７０，１８０上でボックス番号を設定することで、ハードディスク１６２のボックス領域７０２内の領域が指定され、
　ステップＳ８０３では、ＰＣ１７０，１８０上で印刷指示を与え、それと共にＰＣ１７０，１８０上にインストールされているドライバソフトウェアが印刷対象となるコードデータをいわゆるＰＤＬデータに変換して、本画像入出力装置の制御装置１１０にＰＤＬデータを転送し
　ステップＳ８０４では、転送されたＰＤＬデータを画像データに展開（ラスタライズ）し、
　ステップＳ８０５では、展開された画像データがハードディスク１６２のボックス領域７０２に順次記録される画像入出力システム。」の発明（以下、「引用発明」という。）が記載されていると認められる。
　
　同じく、原査定の拒絶の理由として引用された特開２００１−２５７８３０号公報（以下、「引用例２」という。）には、次の事項が図面と共に開示されている。（記載箇所は段落番号で表示）
　ウ　「【００６２】次に、ネットワークファクシミリ装置が受信蓄積したデータをクライアントマシン２０２に送出する動作を、図７のフロー図に従って説明する。
【００６３】ネットワークファクシミリ装置は、ホームページアドレス（ＵＲＬアドレス）が入力されるまでは待機状態にある。
【００６４】ネットワークに接続されたクライアントマシン２０２が、ＷＷＷブラウザ（ホームページ閲覧ソフト）を起動し、ネットワークファクシミリ装置のＵＲＬアドレスを入力してホームページにアクセスする（ＳＴ７０１）。
【００６５】アクセスを受けたネットワークファクシミリ装置は、ネットワーク制御部１０を通してＷＷＷサーバー部１２が処理を開始する。ＷＷＷサーバー部１２のファイル送出部３５は、クライアントマシン２０２から受信したホームページのメイン画面のファイル（インデックスｈｔｍｌ）を要求するコマンドを受けて、外部記憶部４から該当ファイルを読み出してクライアントマシン２０２のＷＷＷブラウザへ返す（ＳＴ７０２）。図８に外部記憶部４へ登録されたＨＴＭＬファイルのファイル関連表を示す。ホームページのメイン画面のファイルにホームページを表示するのに必要なファイルが関連付けられている。
【００６６】クライアントマシン２０２のＷＷＷブラウザは、ホームページのメイン画面のファイル（ｈｔｍｌ）を受け取ると、その内容を解析してホームページの表示に必要なファイルを要求するコマンドをＷＷＷサーバー部１２に対して送出する（ＳＴ７０３）。例えば、図９に示すようなホームページのメイン画面を表示するのであれば、ファックス受信文書、インターネット受信文書、パーソナルボックス、掲示板文書、アドレス帳、通信結果レポート、ユーザ設定、設定一覧のそれぞれのアイコン表示に必要なファイル（図８に示すsdoc.gif、kdoc.gifなど）をＷＷＷサーバー部１２に対して要求する。
【００６７】ＷＷＷサーバー部１２は、ホームページのメイン画面を表示するのに必要なファイル要求を受けると、外部記憶部４に格納されているファイルをクライアントマシン２０２のＷＷＷブラウザに送出する（ＳＴ７０４）。これにより、クライアントマシン２０２の画面上に、ネットワークファクシミリ装置のホームページが、表示される（ＳＴ７０５）。次の選択があるまでネットワークファクシミリ装置はそのまま待機する。
【００６８】図９に示すメイン画面が表示されたクライアントマシン２０２上でユーザの希望するアイコンが選択されるのを待つ。たとえば、表示データの中から「ＦＡＸ受信リスト」が選択されたものとする。「ＦＡＸ受信リスト」アイコンが選択されると、そのアイコン表示位置にリンクされたＦＡＸ受信リストに対するファイル要求が発生する（ＳＴ７０６）。
【００６９】図８に示すように、「ＦＡＸ受信リスト」のアイコンにそのＨＴＭＬファイル（ｆｄｏｃ．ｈｔｍｌ）がリンクされている。ＷＷＷブラウザはｆｄｏｃ．ｈｔｍｌからＦＡＸ受信リストを表示することができる。ＷＷＷサーバー部１２では、ｆｄｏｃ．ｈｔｍｌのファイル要求を受信すると、外部記憶部４から該当ファイルを読み出してクライアントマシン２０２へ送出する（ＳＴ７０７）。
【００７０】クライアントマシン２０２のＷＷＷブラウザが、ＷＷＷサーバー部１２から受信した「ＦＡＸ受信リスト」のＨＴＭＬファイルにしたがって「ＦＡＸ受信リスト」の画面を表示する（ＳＴ７０８）。
【００７１】クライアントマシン上でユーザがＦＡＸ受信リストの中から所望のファイル番号を表示選択すると（ＳＴ７０９）、ネットワークファクシミリ装置はイメージデータファイルを送出する（ＳＴ７１０）。クライアントマシン２０２のＷＷＷブラウザ上でイメージデータ(例えば、file0001.tif)が表示可能でなければ（ＳＴ７１１）、ＴＩＦＦファイルを表示するためのヘルパーアプリケーションを介して（ＳＴ７１２）、表示される（ＳＴ７１３）。
【００７２】上述の例では、ＦＡＸ受信したデータを表示する場合について説明したが、音声ファイルが選択された場合は、リンクされている音声データがクライアントマシンのスピーカから再生される。音声データには、外部から受信した音声データの他、ネットワークファクシミリ装置の受話器に自らふきこんだ音声データなどがあり、これらをホームページにリンクさせたり、外部に発信したりすることができる。」
　
３　対比
　本願発明と引用発明とを対比する。
　引用発明の「画像入出力システム」は、ホストコンピュータであるＰＣから転送された、変換された印刷対象となるコードデータを画像データに展開（ラスタライズ）し、ハードディスクのボックス領域に順次記録するという、画像に対する所定の処理を行う装置であるから、「画像処理装置」といえる。
　引用発明の、画像入出力システムとネットワーク４００を介して接続されるホストコンピュータ１７０，１８０は「情報処理装置」といえ、当該「情報処理装置」と画像処理装置といえる画像入出力システムとは、ネットワーク４００を介してコードデータを通信するから、「通信可能」といえる。
　引用発明のステップＳ８０２での、ＰＣ１７０，１８０上でボックス番号を設定することで、展開された画像データが順次記録されるハードディスク１６２のボックス領域７０２内の領域が指定される処理が、ユーザによりなされることは明らかであり、また、設定されたボックス番号は「複数のグループのうちのユーザによって指定されたグループ」といえるから、引用発明の展開された画像データ、すなわちイメージデータが指定されたボックス領域７０２に順次記録される「ハードディスク１６２」は、本願発明の「イメージデータを複数のグループのうちのユーザによって指定されたグループに属するように格納する格納手段」に相当する。
　引用発明のステップＳ８０３での、ＰＣ１７０，１８０上で印刷指示を与え、それと共にＰＣ１７０，１８０上にインストールされているドライバソフトウェアが印刷対象となるコードデータをいわゆるＰＤＬデータに変換して、本画像入出力装置の制御装置１１０にＰＤＬデータを転送する処理において、「印刷対象となるコードデータ」がユーザーにより指定されたデータであり、また、「本画像入出力装置の制御装置１１０」が印刷対象となるコードデータをＰＤＬデータに変換したデータをＰＣ１７０，１８０から受信する受信手段として機能していることはいずれも明らかであるから、引用発明は「ユーザにより」指定された「データを情報処理装置」「から受信する受信手段」を有しているといえ、一方、本願発明の、情報処理装置から受信する、ユーザにより入力されたファイルパス名またはＵＲＬに対応する「データ」もユーザーにより指定されたデータである点で一致する。
　引用発明のステップＳ８０４での、転送されたＰＤＬデータを画像データに展開（ラスタライズ）する処理は、「受信手段により受信されたデータからイメージデータを生成する」処理といえるから、引用発明は当該処理を行う「画像生成手段」を有しているといえる。
　引用発明のステップＳ８０５での、展開された画像データがハードディスク１６２のボックス領域７０２に順次記録される処理は、「画像生成手段により生成されたイメージデータを、ユーザにより指定されたグループに属するように格納する」処理といえ、本願発明の「格納手段」に相当する引用発明のハードディスク１６２は当該処理を行っているといえる。
　
　以上を踏まえると、両者の一致点、相違点は以下のとおりである。
【一致点】
　情報処理装置と通信可能な画像処理装置であって、
　イメージデータを複数のグループのうちのユーザによって指定されたグループに属するように格納する格納手段と、
　ユーザにより指定されたデータを前記情報処理装置から受信する受信手段と、
　前記受信手段により受信されたデータからイメージデータを生成する画像生成手段とを有し、
　前記格納手段は、前記画像生成手段により生成されたイメージデータを、ユーザにより指定されたグループに属するように格納する画像処理装置。
【相違点】
　本願発明の、画像処理装置と通信可能な情報処理装置が「ウェブブラウザを有」し、画像処理装置が「ウェブブラウザに表示されるべき、画像処理装置へ送信されるべきデータのファイルパス名またはＵＲＬをユーザに入力させるための及び複数のグループのうちの１つをユーザに指定させるためのウェブページのデータを情報処理装置に送信する送信手段」を有し、受信手段が「ウェブページで」ユーザにより「入力されたファイルパス名またはＵＲＬに対応する」データを情報処理装置「または外部のウェブサーバ」から受信し、格納手段が「ウェブページで」ユーザにより指定されたグループに属するように画像生成手段により生成されたイメージデータを格納するのに対し、引用発明の、画像処理装置と通信可能な情報処理装置が「ウェブブラウザ」を有さず、画像処理装置がウェブブラウザに表示されるウェブページのデータを情報処理装置に送信する「送信手段」を有さず、受信手段がユーザにより単に指定されたデータを情報処理装置から受信し、格納手段が単にユーザにより指定されたグループに属するように画像生成手段により生成されたイメージデータを格納する点。
　
４　当審の判断
　画像処理装置といえるネットワークファクシミリ装置と通信可能な情報処理装置といえるクライアントマシン２０２が、ウェブブラウザといえるＷＷＷブラウザを有し、ネットワークファクシミリ装置が、ＷＷＷブラウザに表示されるべき、ウェブページのデータといえる画面のＨＴＭＬファイルをクライアントマシン２０２に送信する送信手段といえるＷＷＷサーバー部１２のファイル送出部３５を有し、ＷＷＷブラウザに表示される画面で、ユーザによる入力された情報に基づいて画像処理を行うことは、引用例２に記載されているように公知技術であるから、情報処理装置と通信可能な画像処理装置において画像処理を行うという共通する技術分野に属する引用発明の、情報処理装置から受信するデータの指定、及び、イメージデータを格納する際のグループの指定を行う処理に前記公知技術を適用し、画像処理装置と通信可能な情報処理装置が「ウェブブラウザを有」し、画像処理装置が「ウェブブラウザに表示されるべき、」「ウェブページのデータを情報処理装置に送信する送信手段」を有し、情報処理装置が有するウェブブラウザに表示されるウェブページで、ユーザにより入力された情報に基づいて、情報処理装置から受信するデータの指定、及び、イメージデータを格納する際のグループの指定を行い、受信手段が「ウェブページで」ユーザにより指定されたデータを情報処理装置から受信し、格納手段が「ウェブページで」ユーザにより指定されたグループに属するように画像生成手段により生成されたイメージデータを格納することは、当業者が容易に想到し得ることといえる。
　そして、引用発明に前記公知技術を適用する際に、イメージデータを格納する際のグループの指定を行うためのウェブページのデータが、「複数のグループのうちの１つをユーザに指定させるための」ウェブページのデータとなることは当業者にとって自明の事項である。
　また、コンピュータであるＰＣ上でデータをファイルパス名と対応付けて保持することは周知技術であり、さらに、「情報処理装置から受信するデータ」が「画像処理装置へ送信されるべきデータ」であることは明らかであるから、引用発明に前記公知技術を適用する際に、情報処理装置から受信するデータの指定を、データに対応するファイルパス名を入力することにより行い、ウェブページのデータを「画像処理装置へ送信されるべきデータのファイルパス名」「をユーザに入力させるための」ものとし、受信手段がユーザにより「入力されたファイルパス名」「に対応する」データを情報処理装置から受信することはいずれも当業者が実施に際して適宜なし得る事項といえる。
　
　なお、本願発明において「または」で接続される構成である、送信手段により送信されるウェブページのデータの、画像処理装置へ送信されるべきデータの「ファイルパス名」または「ＵＲＬ」、及び、受信手段において、「ファイルパス名」または「ＵＲＬ」に対応するデータを「情報処理装置」または「外部のウェブサーバ」から受信する事項は、それぞれ並列な表現であり、選択的な事項であるから、いずれも一方の構成を省いて解釈することが許容される。
　
　一方、本願発明の奏する効果を検討してみても、引用例１及び２に記載された発明、及び前記周知技術から想定される範囲を越える格別なものとはいえない。
　
５　結論
　以上のとおり、本願発明は、引用例１及び２に記載された発明、及び前記周知技術に基づいて当業者が容易に発明をすることができたものであるから、特許法２９条２項の規定により特許を受けることができない。
　したがって、本願は、他の請求項について検討するまでもなく拒絶すべきものである。
　よって、結論のとおり審決する。